(57)【要約】【課題】自分自身の爪を切るのはもとより、他人の爪を切る場合でも、深爪が起こらない爪切りを提供すること。【解決手段】この発明は、弾性を有する長板からなる上側弾性板２及び下側弾性板３の後端部を接合し前端部を開閉自在に構成した第１の部材と、この第１の部材の前記前端部に設けられた開口部を貫通した支軸４に連結された操作レバー１とを備えた爪切りであり、下側弾性板３の前端部に刃がなく、突き当て部３ａを備えたことを特徴とする。【選択図】  図１
2010069097.tif 000002
【特許請求の範囲】
【請求項１】
弾性を有する長板からなる上側弾性板及び下側弾性板の後端部を接合し前端部を開閉自在に構成した第１の部材と、この第１の部材の前記前端部に設けられた開口部を貫通した支軸に連結された第２の部材とを備えた爪切りにおいて、
前記下側弾性板の前端部に刃がなく、突き当て部を備えたことを特徴とする爪切り。
【請求項２】
前記突き当て部とは、前記下側弾性板の前記前端部に装着した突き当てピースであることを特徴とする請求項１に記載の爪切り。
【請求項３】
前記突き当て部の突き当て量を変更できる第３の部材を更に具備したことを特徴とする請求項１に記載の爪切り。
【請求項４】
前記突き当て部は、円筒状であり、前記上側弾性板が前記突き当て部の形状にあった円弧状刃を備えることを特徴とする請求項１に記載の爪切り。
【請求項５】
前記上側弾性板の上刃の前端面が、該上側弾性板の後方に向けて所定角度で傾斜していることを特徴とする請求項１に記載の爪切り。
【請求項６】
弾性を有する長板からなる上側弾性板及び下側弾性板の後端部を接合し前端部を開閉自在に構成した第１の部材と、
この第１の部材の前端部に設けられた開口部を貫通した支軸と、
この支軸に連結された第２の部材と、を備え、
前記上側弾性板の先端部に上刃を形成し、前記下側弾性板に上側弾性板の上刃より前方に所定量だけ突出した突き当て部を形成したことを特徴とする爪切り。
【請求項７】
前記突き当て部として、前記下側弾性板に前記上側弾性板の前記上刃より前方に所定量だけ突出する突き当てピースが配設されたことを特徴とする請求項６に記載の爪切り。
【請求項８】
前記突き当てピースは、前記支軸に対して前後方向に移動自在であり、該突き当てピースの突き出し量が調整可能であることを特徴とする請求項７に記載の爪切り。
【請求項９】
前記突き当てピースをダイヤルに接続された偏心円板の偏心量に応じて前後方向に移動自在としたことを特徴とする請求項７に記載の爪切り。
【請求項１０】
弾性を有する長板からなる上側弾性板及び下側弾性板の後端部を接合し前端部を開閉自在に構成した第１の部材と、
この第１の部材の前端部に設けられた開口部を貫通した支軸と、
この支軸に連結された第２の部材と、を備え、
前記上側弾性板の先端部に上側弾性板の長手方向に対して水平な方向、並びに垂直な方向に円弧形状となっている上刃を形成し、前記下側弾性板に同様の円弧形状の下刃を形成し、該下刃が前記上側弾性板の上刃より前方に所定量だけ突出することを特徴とする爪切り。
【請求項１１】
弾性を有する長板からなる上側弾性板及び下側弾性板の後端部を接合し前端部を開閉自在に構成した第１の部材と、
この第１の部材の前端部に設けられた開口部を貫通した支軸と、
この支軸に連結された第２の部材と、を備え、
前記上側弾性板の先端部にその前端面が所定角度を有し且つ刃先端も後方に所定角度を有する上刃を形成したことを特徴とする爪切り。
【発明の詳細な説明】
【技術分野】
【０００１】
本発明は、手や足の指の爪を切る爪切りに関する。
【背景技術】
【０００２】
従来、爪切りは日常生活において活用され、その構成も定まりつつある。
【０００３】
典型的な爪切りの構成は、次の通りである。即ち、弾性を有した２枚の金属の長板からなる上側弾性板、下側弾性板を、向かい合わせ上下に重ね合わせて、それらの後端部を二又状に接合し前端部を折り曲げ、更に該前端部の先端を鋭利状にしてそれぞれ上刃と下刃を形成している。これら上刃と下刃の間には指の爪の先端部が挿入する間隙を設けている。
【０００４】
さらに、各前端部の近傍位置には、開口部を設け、支軸を下側弾性板の開口部から上側弾性板の開口部に貫通させ、上側弾性板並びに下側弾性板に対して回転可能としている。支軸の下端は大径部とし、該大径部を下側弾性板の下面に当接させることで抜け止めを施している。支軸の上端部は上側弾性板の上面より突出している。更に、この支軸の上端部には、その直径方向に切り欠きを設け、該切り欠きにピンを掛けて、操作レバーの前端を連結している。
【０００５】
この操作レバーは、前端部の片側に突出した支点用凸部を備え、該支点用凸部を上側弾性板の上面の前端部の一部に当接させ、上側弾性板に対して所定角度の範囲で支点を回転中心として円弧状に操作可能としている。
【０００６】
このような構成において、手や足の爪を切る時には、上刃と下刃の隙間に指の爪の先端を挿入して、操作レバーの後端を上側弾性板側に押し下げれば、爪の先端が上刃と下刃に挟まれて切断される。このとき、爪の隙間への入り具合により爪の切断される位置は異なり、その結果、深爪となることがある。
【０００７】
このような問題に鑑みて、従来から深爪に対し、種々工夫がなされている。
【０００８】
例えば特許文献１では、爪切りの下刃の先端にスペーサを貼り付けて深爪を防止する方法が開示されている。また、特許文献２では、爪切りの下刃の下側から下刃の先端をカバーするスペーサを固定する方法が開示されている。更に、特許文献３では、爪切りのカバーの先端部にスペーサを設置する方法が開示されている。
【０００９】
【特許文献１】実用新案公開平５−６８４０８号公報
【特許文献２】公報登録実用新案第３０７９７６４号公報
【特許文献３】特許公開２０００−４９３１号公報
【発明の開示】
【発明が解決しようとする課題】
【００１０】
自分の爪を切る時、爪切りの上刃と下刃の間には隙間があるので、爪切りを爪の方に押し込むと、たやすく爪の奥深いところまで入り込んでしまう。下刃の差し込み具合は爪の陰に隠れているので視認性が悪く、特に、老人や視力の弱い人にとっては爪切りを過剰に差し込んでも、その差し込み具合を認識できないこともある。この状態で操作レバーを押下すると、鋭利な上下の刃は爪に食い込み、そのまま切断される。差し込み具合が過剰に奥深い場合には、深爪になることもある。
【００１１】
一方、爪切りは、老人や病人の介護者や幼少児の育児者が自分以外の人の爪を切る場合にも使用する。他人の爪を切る場合、爪切りの差し込み具合を自分の感覚で感じられないことに加え、幼少児においては気のままに勝手に動いたりするために、爪切りを過剰に差し込んでしまい、深爪になることもある。
【００１２】
また、爪切りの上下の刃は刃が閉じたとき前端をぴったり真直に合っており、それぞれの刃の内側は傾斜して鋭利な刃を形成している。爪の切断端面は爪切りの前端面の真直な形状に沿って切れるので、爪の切断端面は横から見ると大略直角になる。この切断頂部は指先が物に触れる時引っかかったり、物を傷つけたりするので、通常ヤスリなどで角部を丸める等の仕上げをする必要がある。
【００１３】
そこで、本発明は上記事情に鑑み、自分自身の爪を切るのはもとより、他人の爪を切る場合でも、深爪が起こらない爪切りを提供することを目的とする。
【００１４】
さらに、爪の切断角部を直角ではなく鈍角に切断することで、爪が物に引っかかったり、物を傷つけたりすることがなくなるので、ヤスリ等で爪の頂部を丸める必要がなくなる。
【課題を解決するための手段】
【００１５】
上記課題を解決するために、本発明の一態様による爪切りにおいては、下刃の刃を取り除き、下側弾性板の前端を上刃の前端面より伸ばして突き当てとしている。この突き当ては下側弾性板の一部として利用する。または、別の部材で整形した突き当てピースを下側弾性板の前端部に装着して構成する。
【００１６】
本発明の他の態様による爪切りにおいては、爪の切断頂部を鈍角にするために、爪切りの上刃の内側を直角にし、刃先の前端面側を後方に所定角度だけ傾斜させて刃を形成する。下側弾性板の先端は上記同様、下側弾性板の突き当てを上刃の刃先より伸ばして形成する。又は、別部材の突き当てピースを装着する。
【発明の効果】
【００１７】
従って、本発明の爪切りによれば、爪と指肉の間に下側弾性板の突き当て部が挿入され、爪下の指肉の奥部に突き当たるが、この突き当て部は、上刃の前端面より伸びており、爪は指肉との境目より後方で上刃と突き当て部に挟まれて切断されるので、深爪が防止される。また、下側が突き当てになっているので、爪切りの差し込み具合が指先の触覚で感じやすい。
【００１８】
更に、爪を過剰に奥深く挿入した場合であっても、下側に刃がないので爪が刃に引っかかってそのまま切断されて深爪になることがなくなる。深爪が防止されると、深爪によって生じた傷みや指肉への傷つき、更に深爪を原因とする巻き爪とその派生傷害が防止もしくは軽減される。
【発明を実施するための最良の形態】
【００１９】
以下、図面を参照して、本発明の実施の形態について詳述する。
【００２０】
（第１の実施の形態）
【００２１】
先ず、図１及び図２に沿って本発明の第１の実施の形態を説明する。
【００２２】
図１、図２に示されるように、この爪切りは、２枚の短冊状の金属の上側弾性板２，下側弾性板３を向かい合わせに上下に配置し、二又状にそれぞれの後端側を接合し、前端部が上側弾性板２と下側弾性板３の弾性で開閉自在となるように構成する。上側弾性板２の前端部を下方向に曲げ上刃２ａを形成し、下側弾性板３の前端部は、爪と指肉の境に挿入する突き当て部３ａを形成している。即ち、突き当て３ａが、下側弾性板３の一部として形成されている。
【００２３】
更に、支軸４の下部には大径の抜け止めを形成して、下側弾性板３の開口部から上側弾性板２の開口部を貫通して突出する。その支軸４の上部には切り欠き部があり、ピン５が引っ掛けられている。そのピン５の両端には、操作レバー１の前端部が連結している。操作レバー１は、前端部の片側に突出した支点用凸部１ａが上側弾性板２の上面に当接されており、上側弾性板２の上面に対して所定角度の範囲で円弧上を回転自在となるように配置されている。
【００２４】
この突き当て部３ａの先端は、爪と指肉の境目に入りやすいように先端が薄く尖った形状とし、上側弾性板２の上刃２ａより前方に突出している。図２に示す突き出し量ｘとしては、深爪や指肉の切断が防止される量を設定する。即ち、突き出し量ｘは予め設定された所定値であり、例えば平均的の使用に好適な量が設定されてよい。
【００２５】
以上説明したように、本発明の第１の実施の形態によれば、弾性を有する例えば金属の長板からなる上側弾性板２及び下側弾性板３の後端部を接合し前端部を開閉自在に構成した第１の部材と、この第１の部材の前端部に設けられた開口部を貫通した支軸４と、この支軸４の切り欠き部に掛けられたピン５により連結された第２の部材としての操作レバー１とを備えており、上側弾性板２の先端部に上刃２ａを形成し、下側弾性板３に上側弾性板２の上刃２ａより前方に所定量だけ突出した突き当て部３ａを形成したことを特徴とする爪切りが提供される。
【００２６】
従って、この突き当て部３ａにより、爪は指肉との境目より後方で上刃と突き当てに挟まれて切断されるので、深爪が防止される。また、下側が突き当て部３ａになっているので、爪切りの差し込み具合が指先の触覚で感じやすい。
【００２７】
（第２の実施の形態）
【００２８】
次に図３，４，５を参照して、本発明の第２の実施の形態を説明する。この第２の実施の形体の爪切りでは、突き出し量ｘが可変自在となっている。
【００２９】
これらの図に示されるように、この爪切りは、２枚の短冊状の金属の上側弾性板１２，下側弾性板１３を向かい合わせに上下に配置し、二又状にそれぞれの後端側を接合し、前端部が上側弾性板１２と下側弾性板１３の弾性で開閉自在となるように構成する。上側弾性板１２の前端部を下方向に曲げ上刃１２ａを形成し、下側弾性板１３の前端部には、詳細は後述する突き当てピース１６が配設されている。
【００３０】
更に、支軸１４の下部には大径の抜け止めを形成して、下側弾性板１３の開口部から上側弾性板１２の開口部を貫通して突出する。その支軸１４の上部には切り欠き部があり、ピン１５が引っ掛けられている。そのピン１５の両端には、操作レバー１１の前端部が連結している。操作レバー１１は、前端部の片側に突出した支点用凸部１１ａが上側弾性板１２の上面に当接されており、上側弾性板１２の上面に対して所定角度の範囲で円弧上を回転自在となるように配置されている。
【００３１】
そして、特に以下の点に特徴を有している。  
即ち、上側弾性板１２の上刃１２ａに対し、下側弾性板１３の先端部に装着された突き当てピース１６が所定の突き出し量を形成する。この突き当てピース１６は支柱１４を通す支点通し穴１６ａ、摺動部１６ｂを有している。下側弾性板１３を適度な隙間で摺動させれば適当な突き出し量の位置に止めることが出来る。更に、下側弾性板１３の途中にはストッパの役割を担う段部１３ａが設けられていて、予め設定された突き出し量で止まるようになっている。
【００３２】
以上説明したように、本発明の第２の実施の形態によれば、弾性を有する例えば金属の長板からなる上側弾性板１２及び下側弾性板１３の後端部を接合し前端部を開閉自在に構成した第１の部材と、この第１の部材の前端部に設けられた開口部を貫通した支軸１４と、この支軸１４の切り欠き部に掛けられたピン１５により連結された第２の部材としての操作レバー１１とを備えており、上側弾性板１２の先端部に上刃１２ａを形成し、下側弾性板１３に上側弾性板１２の上刃１２ａより前方に所定量だけ突出する突き当てピース１６が配設されたことを特徴とする爪切りが提供される。
【００３３】
さらに、この突き当てピース１６は、支軸１４に対して前後方向（上側弾性板１２、下側弾性板１３の長手方向）に移動自在とし、突き出し量を調整可能とすることができる。
【００３４】
したがって、突き当てピース１６の突き出し量を使用者の指並びに爪のサイズに応じて好適に調整することができ、深爪となるのを防止することが可能となる。
【００３５】
（第３の実施の形態）
【００３６】
次に図６，７，８を参照して、本発明の第３の実施の形態を説明する。この第３の実施の形体の爪切りは、突き出し量を爪切り本体の下側弾性板２３の下面に取り付けられたダイヤル２８を回すことで調整自在となっている。
【００３７】
これらの図に示されるように、この爪切りは、２枚の短冊状の金属の上側弾性板２２，下側弾性板２３を向かい合わせに上下に配置し、二又状にそれぞれの後端側を接合し、前端部が上側弾性板２２と下側弾性板２３の弾性で開閉自在となるように構成する。上側弾性板２２の前端部を下方向に曲げ上刃２２ａを形成し、下側弾性板２３の前端部には、詳細は後述する突き当てピース２６が配設されている。
【００３８】
更に、支軸２４の下部には大径の抜け止めを形成して、下側弾性板２３の開口部から上側弾性板２２の開口部を貫通して突出する。その支軸２４の上部には切り欠き部があり、ピン２５が引っ掛けられている。そのピン２５の両端には、操作レバー２１の前端部が連結している。操作レバー２１は、前端部の片側に突出した支点用凸部２１ａが上側弾性板２２の上面に当接されており、上側弾性板２２の上面に対して所定角度の範囲で円弧上を回転自在となるように配置されている。
【００３９】
そして、特に以下の点に特徴を有している。  
即ち、上側弾性板２２の上刃２２ａに対し、下側弾性板２３の先端部に装着された突き当てピース２６が突き出し量を設定する。この突き当てピース２６には支柱２４を通す穴２６ａと偏心円板２７の入る横長穴２６ｂが設けられている。下側弾性板２３に設けられたダイヤル軸穴２３ａにダイヤル２８の軸部２８ａが通り、その上端に偏心円板２７が固定ビス２９で固定されている。爪切り本体下面に装着されたダイヤル２８を回転させると偏心円板２７の偏心量の所定倍（例えば２倍）だけ突き当てピースが前後に出入りする。使用時にはこのダイヤル２８を回して適量の突き出し量を選んで爪切りをする。
【００４０】
以上説明したように、本発明の第３の実施の形態によれば、弾性を有する例えば金属の長板からなる上側弾性板２２及び下側弾性板２３の後端部を接合し前端部を開閉自在に構成した第１の部材と、この第１の部材の前端部に設けられた開口部を貫通した支軸２４とこの支軸２４の切り欠き部に掛けられたピン２５により連結された第２の部材としての操作レバー２１とを備えており、上側弾性板２２の先端部に上刃２２ａを形成し、下側弾性板２３に上側弾性板２２の上刃２２ａより前方に所定量だけ突出する突き当てピース２６が配設され、この突き当てピース２６がダイヤル２８に接続された偏心円板２７の偏心量に応じて前後方向（上側弾性板２２、下側弾性板２３の長手方向）に移動自在としたことを特徴とする爪切りが提供される。
【００４１】
したがって、ダイヤル２８の操作により突き当てピース２６の突き出し量を使用者の指並びに爪のサイズに応じて好適に調整することが可能となる。
【００４２】
（第４の実施の形態）
【００４３】
次に図９，１０，１１を参照して、本発明の第４の実施の形態を説明する。この第４の実施の形体の爪切りは、深爪防止を３次元刃で実施するものである。
【００４４】
これらの図に示されるように、この爪切りは、２枚の短冊状の金属の上側弾性板３２，下側弾性板３３を向かい合わせに上下に配置し、二又状にそれぞれの後端側を接合し、前端部が上側弾性板３２と下側弾性板３３の弾性で開閉自在となるように構成する。上側弾性板３２の前端部を下方向に曲げ上刃３２ａを形成し、下側弾性板３３の前端部には、詳細は後述する突き当て部３３ａが設けられている。そして、上刃３２ａが上側弾性板３２の長手方向に対して水平な方向に円弧形状であるだけでなく、垂直な方向（上下方向）にも円弧形状になっている点に特徴を有している。
【００４５】
更に、支軸３４の下部には大径の抜け止めを形成して、下側弾性板３３の開口部から上側弾性板３２の開口部を貫通して突出する。その支軸３４の上部には切り欠き部があり、ピン３５が引っ掛けられている。そのピン３５の両端には、操作レバー３１の前端部が連結している。操作レバー３１は、前端部の片側に突出した支点用凸部３１ａが上側弾性板３２の上面に当接されており、上側弾性板３２の上面に対して所定角度の範囲で円弧上を回転自在となるように配置されている。
【００４６】
そして、特に以下の点に特徴を有している。  
即ち、上側弾性板３２の前端の上刃３２ａが水平方向に円弧形状であるだけでなく、垂直方向にも円弧形状になっている。下側弾性板３３の前端は上刃３２ａより突き出し量を有しているので、深爪防止効果がある。更に、上刃３２ａの垂直方向の円弧形状と合わせた筒形状をしている。これを図１１の正面図に示す。この上刃３２ａと突き当て３３ａの３次元形状は爪先の丸い形状に合うので、爪が切断されるときの無理な圧迫がなく爪割れを防止できる。
【００４７】
以上説明したように、本発明の第４の実施の形態によれば、弾性を有する例えば金属の長板からなる上側弾性板３２及び下側弾性板３３の後端部を接合し前端部を開閉自在に構成した第１の部材と、この第１の部材の前端部に設けられた開口部を貫通した支軸３４とこの支軸３４の切り欠き部に掛けられたピン３５により連結された第２の部材としての操作レバー３１とを備えており、上側弾性板３２の先端部に上側弾性板３２の長手方向に対して水平な方向、並びに垂直な方向（即ち、上下方向）に円弧形状となっている上刃を形成し、下側弾性板３３に同様の円弧形状の下刃３３ａを形成し、さらに下刃３３ａが上側弾性板３２の上刃３２ａより前方に所定量だけ突出することを特徴とする爪切りが提供される。
【００４８】
従って、円弧形状の上刃３２ａ及び下刃３３ａにより、爪が切断されるときの無理な圧迫がなく爪割れを防止することができる。
【００４９】
（第５の実施の形態）
【００５０】
次に図１２，１３，１４を参照して、本発明の第５の実施の形態を説明する。この第５の実施の形体の爪切りは、深爪防止に加え、爪切断部の角度を鈍角に切断する構成を備えている。
【００５１】
これらの図に示されるように、この爪切りは、２枚の短冊状の金属の上側弾性板４２，下側弾性板４３を向かい合わせに上下に配置し、二又状にそれぞれの後端側を接合し、前端部が上側弾性板４２と下側弾性板４３の弾性で開閉自在となるように構成する。上側弾性板４２の前端部を下方向に曲げ上刃４２ａを形成し、下側弾性板４３の前端部には、詳細は後述する突き当て部４３ａが設けられている。そして、詳細は後述するが、上側弾性板４２の前端の上刃４２ａの前端面は垂直ではなく、刃先端部も後方（後端部方向）に所定の角度を有し、刃の背面（内面）は垂直になっている。
【００５２】
更に、支軸４４の下部には大径の抜け止めを形成して、下側弾性板４３の開口部から上側弾性板４２の開口部を貫通して突出する。その支軸４４の上部には切り欠き部があり、ピン４５が引っ掛けられている。そのピン４５の両端には、操作レバー４１の前端部が連結している。操作レバー４１は、前端部の片側に突出した支点用凸部４１ａを上側弾性板４２の上面に当接されており、上側弾性板４２の上面に対して所定角度の範囲で円弧上を回転自在となるように配置されている。
【００５３】
そして、特に以下の点に特徴を有している。  
即ち、上側弾性板４２の前端の上刃４２ａの前端面が垂直ではなく、刃先端が後方に角度を有し、刃の背面は垂直になっている。より詳細には、図１３に示すように上刃４２ａの刃先が真直ではなく後方に傾斜しているので、爪の切断頂部は鈍角に切断されるので、ヤスリ等で頂部を丸めたりする必要がなくなる。図１４には本実施の形態に係る爪切りにより切断された爪の状態を示す。
【００５４】
以上説明したように、本発明の第５の実施の形態によれば、弾性を有する例えば金属の長板からなる上側弾性板４２及び下側弾性板４３の後端部を接合し前端部を開閉自在に構成した第１の部材と、この第１の部材の前端部に設けられた開口部を貫通した支軸４４とこの支軸４４の切り欠き部に掛けられたピン４５により連結された第２の部材としての操作レバー４１とを備えており、上側弾性板４２の先端部の刃先端も後方に所定角度を有する上刃４２ａを形成したことを特徴とする爪切りが提供される。
【００５５】
従って、爪は上刃４２ａと下側弾性板４３に挟んで切断されるが、上刃４２ａの刃先が後方側に角度を持っているので、爪の切断角部は直角ではなく鈍角に切断される。爪の切断頂部が鈍角になると、爪が物に引っかかったり、物を傷つけたりすることがなくなるので、ヤスリ等で爪の頂部を丸める必要がなくなる。
【図面の簡単な説明】
【００５６】
【図１】本発明の第１の実施の形態に係る爪切りを示す斜視図。
【図２】本発明の第１の実施の形態に係る爪切りの断面図。
【図３】本発明の第２の実施の形態に係る爪切りを示す斜視図。
【図４】本発明の第２の実施の形態に係る爪切りの断面図。
【図５】本発明の第２の実施の形態の突き当てピースを示す斜視図。
【図６】本発明の第３の実施の形態に係る爪切りを示す斜視図。
【図７】本発明の第３の実施の形態に係る爪切りの断面図。
【図８】（ａ）は本発明の第３の実施の形態の突き当てピースを示す斜視図、（ｂ）は本発明の第３の実施の形態のダイヤルを示す斜視図、（ｃ）は本本発明の第３の実施の形態のダイヤルを示す断面図。
【図９】本発明の第４の実施の形態に係る爪切りを示す斜視図。
【図１０】本発明の第４の実施の形態に係る爪切りの断面図。
【図１１】本発明の第４の実施の形態に係る爪切りの正面から見た図の一部分。
【図１２】本発明の第５の実施の形態に係る爪切りを示す斜視図。
【図１３】本発明の第５の実施の形態に係る爪切りの断面図。
【図１４】本発明の第５の実施の形態による切断した爪の状態図。
【符号の説明】
【００５７】
１…操作レバー、１ａ…支点用凸部、２…上側弾性板、２ａ…上刃、３…下側弾性板、３ａ…突き当て、４…支軸、５…ピン、６…指、７…爪、１１…操作レバー、１１ａ…支点用凸部、１２…上側弾性板、１２ａ…上刃、１３…下側弾性板、１４…支軸、１５…ピン、１６…突き当てピース、１６ａ…支点通し穴、１６ｂ…摺動部、２１…操作レバー、２１ａ…支点用凸部、２２…上側弾性板、２２ａ…上刃、２３…下側弾性板、２３ａ…ダイヤル軸穴、２４…支軸、２５…ピン、２６…突き当てピース、２６ａ…支柱通し穴、２６ｂ…偏心円板挿入穴、２７…偏心円板、２８…ダイヤル、２８ａ…ダイヤル軸、２９…固定ビス、３１…操作レバー、３１ａ…支点用凸部、３２…上側弾性板、３２ａ…上刃、３３…下側弾性板、３３ａ…突き当て、３４…支軸、３５…ピン、４１…操作レバー、４１ａ…支点用凸部、４２…上側弾性板、４２ａ…上刃、４３…下側弾性板、４３ａ…突き当て、４４…支軸、４５…ピン
【図１】
2010069097.tif 000003
【図２】
2010069097.tif 000004
【図３】
2010069097.tif 000005
【図４】
2010069097.tif 000006
【図５】
2010069097.tif 000007
【図６】
2010069097.tif 000008
【図７】
2010069097.tif 000009
【図８】
2010069097.tif 000010
【図９】
2010069097.tif 000011
【図１０】
2010069097.tif 000012
【図１１】
2010069097.tif 000013
【図１２】
2010069097.tif 000014
【図１３】
2010069097.tif 000015
【図１４】
2010069097.tif 000016